【手続補正書】
【提出日】平成15年12月17日(2003.12.17)
【手続補正１】
【補正対象書類名】明細書
【補正対象項目名】全文
【補正方法】変更
【補正の内容】
【発明の名称】植物の生長調節剤及び生長調節法
【特許請求の範囲】
【請求項１】ＮａＨＣＯ3 及び／又はＫＨＣＯ3 を有効主成分とすることを特徴とする植物の生長調節剤。
【請求項２】植物ホルモンを有効成分として加えた請求項１記載の植物の生長調節剤。
【請求項３】植物ホルモンがオ−キシンである請求項２記載の植物の生長調節剤。
【請求項４】植物の発芽・生育床に対し、０．００３〜１重量％のＮａＨＣＯ3 及び／又はＫＨＣＯ3 を含有させた植物の生長調節法。
【請求項５】１０-3〜１０-7Ｍの植物ホルモンを含有させた請求項４記載の植物の生長調節法。
【請求項６】植物ホルモンがオ−キシンである請求項５記載の植物の生長調節剤。
【発明の詳細な説明】
【０００１】
【発明の属する技術分野】
本発明は植物の生長調節剤及びその調節法に関するもので、更に詳しくは、地球環境に優しい物質を用いて植物の生長を調節する技術に係るものである。
【０００２】
【従来の技術】
従来、植物の生長促進或いは抑制剤として、植物ホルモン或いは植物生長促進剤や抑制剤等が種々の作物の栽培に利用されている。さらに、植物ホルモン以外にもフイチン酸、コリン等が知られている。しかし、これらの物質は高価であり、使用に際して安価な物質が望まれていた。又、一部の植物ホルモンは人体に対して催奇生を有するものもあり、人体に対して安全な物質が求められていた。
【０００３】
植物の生長促進剤に関しては従来より様々な提案がなされているところ、その多くは化学合成された薬剤でありこれを希釈して散布する方法が主として採用されていた。しかし、最近は堆肥や自然の有機肥料を使用する有機農法が盛んになり、植物の生長促進剤においても、土壌や環境面に影響を与えることのないものを開発する試みがなされている。
【０００４】
【発明が解決しようとする課題】
本発明の目的は、農薬等における安全性の問題を回避し、かつ地球環境に配慮しつつ植物の生長を調節する方法を提供するものであり、調節剤として全く新たな化合物を採用したものである。
【０００５】
【課題を解決するための手段】
本発明の第１の要旨は、ＮａＨＣＯ3 及び／又はＫＨＣＯ3 を有効主成分とすることを特徴とする植物の生長調節剤に関するものである。そして、場合によっては、植物ホルモン（好ましくはオ−キシン）を有効成分として加えた植物の生長調節剤を提供するものである。
【０００６】
そして本発明の第２の要旨は、植物の発芽・生育床に０．００３〜１重量％のＮａＨＣＯ3 及び／又はＫＨＣＯ3 を含有させた植物の生長調節法に関するものである。そして、場合によっては、１０-3〜１０-7Ｍの植物ホルモンを含有させた植物の生長調節法を提供するものである。
【０００７】
【発明の実施の形態】
既に提案しているように、本発明者らは、重曹（ＮａＨＣＯ3 ）を用いた植物の矮化法について開発を行っているところであり、重曹が水溶性で人畜無害であり地球環境にやさしく比較的低コストで入手できる点に着目したものである。しかるに、本発明者らは種々研究を重ねた結果、全く意外にも植物に対して重曹が植物の発芽・生長を調節する作用があることを見出し、先の提案を更に発展させて本発明に到達したものであり、安価でしかも人体に対して安全な植物の生長調節剤及び植物の生長調節法を提供することとなったものである。
【０００８】
本発明で用いる植物調節剤は水溶性のＮａＨＣＯ3 （重曹）及び／又はＫＨＣＯ3 を有効主成分とするものである。以下、重曹を中心に本発明を更に説明するが、重曹は飽和水溶液でもほぼ中性（ｐＨ８．２）なので、土質に影響を及ぼすことが殆んどない。又、植物への処理後は雨とともに流れ去るので、地球環境に優しく、悪影響を与えることなく処理することができることはいうまでもない。かかる重曹等は公知のものを使用でき、本発明の目的から逸脱して環境に悪影響を与えない限り不純物を含んでいても良い。勿論、窒素、リン、カリウム等植物の肥料成分と他の植物生長調節剤と併用しても差し支えない。本発明で用いられる市販品の重曹には、例えば商品名「ＡＲＭＥＸ」、Ｃｈｕｒｃｈ＆Ｄｗｉｇｈｔ  Ｃｏ．，Ｉｎｃ．があり、これには極く微量のＮａ2 ＣＯ3 、Ｃａ、Ｍｇ、ＳｉＯ2 等が存在するが、これらが共存していても植物調節剤としては何ら問題がなく使用できる。勿論、本発明の重曹がこれに限定されるものではない。ＫＨＣＯ3 についても重曹とほぼ同様であって、地球環境へ与える影響は極めて少ない。
【０００９】
本発明の重曹等を水中に添加して植物の発芽・生育に用いる場合、勿論、植物の種類によって処理濃度に差があるが、発芽及び発芽後の生長調節濃度としては０．００３〜１重量％、好ましい範囲は０．０１〜０．１重量％である。即ち、濃度は高い範囲にあっては、植物の生育に対してこれを阻害する方向に働く因子として機能し、又、一定の範囲の濃度であれば、植物の生長促進効果を期待できるものであって、背丈も大きく、生長も速く、更には果実の大型化、多実化の効果をもたらすこととなる。尚、濃度が濃いと発芽せず、濃度が少な過ぎると効果は期待できない等の理由から、植物の発芽・生育時に使用される濃度範囲が決定されるものである。重曹とＫＨＣＯ3 との併用も勿論可能であり、その割合は適用する植物によって適宜濃度を決めることになる。
【００１０】
本発明にあって、重曹やＫＨＣＯ3 に対して植物ホルモンを併用することもまた好ましい手段であって、例えば、植物ホルモンのインドール−３−酢酸（ＩＡＡ）は比較的高濃度では生長を抑制するが、薄い濃度（１０-4〜１０-7Ｍ程度）では生長促進作用が見られる。この仕組みについては完全には解明されてはいないが、植物にはＮａ+ やＫ+ の流出入によって刺激される生長促進機能が、或いは生長促進ホルモンの活性化を誘導する機能があるかも知れない。
【００１１】
使用される植物ホルモンとしてオ−キシンが挙げられ、例えば２，４−Ｄ（２，４−ジクロロフェノキシ酢酸）、ＩＡＡ（インドール−３−酢酸）、ＩＢＡ（インドール−３−酪酸）、ＮＡＡ（１−ナフタレン酢酸）、２，４，５−Ｔ（２，４，５−トリクロロフェノキシ酢酸）、ピクロラム（４−アミノ−３，５，６−トリクロロピリジン−２−カルボン酸）、ダイカンバ（３，６−ジクロロ−Ｏ−アニス酸）、ナフタレンアセトアミド、５−クロロ−１Ｈ−インダゾール−３−イル酢酸エチル、ＭＣＰＡ（４−クロロ−Ｏ−トリルオキシ酢酸）、２，３，６−ＴＢＡ（２，３，６−トリクロロ安息香酸）、ジクロルプロップ〔２−（２，４−ジクロロフェノキシ）プロピオン酸〕、メコプロップ〔２−（４−クロロ−２−メチルフェノキシ）プロピオン酸〕、２，４−ＤＢ〔４−（２，４−ジクロロフェノキシ）酪酸〕、ＭＣＰＢ〔４−（４−クロロ−Ｏ−トリルオキシ）酪酸〕、フェノプロップ〔２−（２，４，５−トリクロロフェノキシ）プロピオン酸〕などをあげることができ、それを単独でまたは２種以上を組み合わせて使用することができる。
【００１２】
またサイトカイニンとしては、例えばカイネチン（６−フルフリルアミノプリン）、ＢＡ（ベンジルアデニン）、４−ＰＵ（４−ピリジルフェニルウレア）、ゼアチン〔４−ヒドロキシ−３−メチル（Ｅ）−２−ブテニルアミノプリン〕、ジヒドロゼアチン（４−ヒドロキシ−３−メチルブチルアミノプリン）、２−イソペンテニルアデニン、２−イソペンテニルアデノシン、トランスリボシルゼアチン〔６−（４−ヒドロキシ−３−メチル−（Ｅ）−２−ブテニルアミノ）−９−β−Ｄ−リボフラノシルプリン〕、ＣＰＰＵ〔Ｎ−（２−クロロ−４−ピリジル）−Ｎ−フェニルウレア〕などをあげることができ、それを単独でまたは２種以上を組み合せて使用することができる。
【００１３】
その他の植物ホルモンとしては、たとえばＧＡ（シベレリン）、ＡＢＡ（アブシジン酸）、ブラシノステロイド、ジャスモン酸などがあげられる。
【００１４】
本発明の重曹等の使用方法は特に限定されないが、土壌潅注処理、水耕栽培の溶液への添加、種子のコート、挿し木への処理等、植物生長調節剤の通常の方法で用いられる。また、他の農薬、肥料と併用することもできることは言うまでもない。従って、土壌改良剤としてもその効果は大きいものであり、後述するが、例えば火山灰に重曹等を配合することによって土壌としての改質効果をももたらすものである。
【００１５】
具体的な使用方法としては、重曹水溶液中に植物の種子を浸漬し、次いで圃場あるいは培土に撒種して植物を発芽・生成する方法であり、重曹を固定化した担体あるいはこれを含んだ培土と種子と混合し、ついで圃場或いは培土に撒種する方法が取られ得る。
【００１６】
適用対象植物は特に限定されないが、例えばダイコン、ニンジン、ゴボウ等の根菜類；モヤシ、レタス、ハクサイ、コマツナ、イチゴ、メロン等の野菜類；イネ、小麦、トウモロコシ等の穀物類；菊、ユリ、ラン、バラ、パンジー、カーネション等の花弁類；高架芝、野芝、ペントグラス等の芝類；エンドウ、大豆、ピーナッツ等の豆類；スギ、ヒノキ、サツキ等の樹木類；トマト、ナシ、ブドウ、リンゴ等の果樹類、オオイヌノフグリにて代表される雑草等が挙げられる。
【００１７】
【実施例】
以下に、実施例を示して本発明を具体的に説明するが、これは単に例示の目的で述べるものであり、本発明はこれらの実施例に限定されるものでない。
（１）ＮａＨＣＯ3 の効果
（実施例１・イネ・図１、図２）
イネを用いて本発明（ＮａＨＣＯ3 ）を実証した。４．５ｃｍのシャーレに脱脂綿を敷き試験液１０ｍｌを入れた。そこに種子（１０粒）を加え、４日間暗黒下２３℃で育て、その後３日間明所（約３０００ルックス）２３℃で培養した。各図は左からＮａＨＣＯ3 を有効主成分としたもので、対照−コントロール（ＮａＨＣＯ3 の濃度が０％）、１％（飽和水１０％とした原液の１／１０希釈）、０．３％、０．１％、０．０３％、０．０１％、０．００３％である。
【００１８】
図１は夫々のシャーレ内の種子の状態を示した図であり、図２は各々のシュ−ト（茎）の長さ及び根の長さを比較した図であり、茎は各々５．３±０．３ｍｍ、３．３±０．３ｍｍ、７．３±１．５ｍｍ、１３．３±０．９ｍｍ、１５．０±１．０ｍｍ、１０．０±０ｍｍ、１１．０±１．０ｍｍであり、根の長さは各々１０．３±１．８ｍｍ、０±０ｍｍ、２．３±０．３ｍｍ、２０．７±２．３ｍｍ、２３．７±０．９ｍｍ、１８．０±９．７ｍｍ、３２．０±９．３ｍｍである。尚、ラベルの長さは５ｍｍである。
【００１９】
図１及び図２、更には各々の茎や根の長さにて分かる通り、濃度の濃い場合には生長が抑制され、濃度の薄い場合には生長が促進することが分かる。
【００２０】
（実施例２・トマト・図３、図４）
トマトを用いて本発明（ＮａＨＣＯ3 ）を実証した。図３は図１と同様の各々のシャーレ内の芽生えの状態を示した図であり、図４は図２と同様の各々の胚軸（茎）の長さ及び根の長さを比較した図である。
【００２１】
茎は各々２２．７±１．５ｍｍ、０±０ｍｍ、１４．７±０．３ｍｍ、４１．３±１．９ｍｍ、４６．０±１．５ｍｍ、３９．３±１．５ｍｍ、３０．０±１．７ｍｍであり、根の長さは各々５５．０±１．２ｍｍ、０±０ｍｍ、１．３±０．３ｍｍ、２９．３±１．８ｍｍ、６０．７±８．１ｍｍ、２６．３±３．７ｍｍ、１７．０±１．６ｍｍである。尚、ラベルの長さは５ｍｍである。
【００２２】
図３及び図４、更には各々の茎や根の長さにて分かる通り、濃度の濃い場合には生長が抑制又は発芽せず、０．１％以下では生長が促進することが分かる。
【００２３】
（実施例３・レタス・図５、図６）
レタスを用いて本発明（ＮａＨＣＯ3 ）を実証した。図５は図１と同様の各々のシャーレ内の芽生えの状態を示した図であり、図６は図２と同様の各々の茎の長さ及び根の長さを比較した図である。
【００２４】
茎は各々１７．３±０．３ｍｍ、０±０ｍｍ、６．７±０．３ｍｍ、１５．７±０．３ｍｍ、２４．３±０．３ｍｍ、２４．３±０．９ｍｍ、１４．０±０．６ｍｍであり、根の長さは各々２１．３±０．７ｍｍ、０±０ｍｍ、３．７±０．３ｍｍ、１１．０±０．６ｍｍ、１４．３±１．９ｍｍ、２１．０±０．６ｍｍ、１８．７±４．７ｍｍである。尚、ラベルの長さは５ｍｍである。
【００２５】
図５及び図６更には各々の茎や根の長さにて分かる通り、濃度の濃い場合には生長が抑制又は発芽せず、濃度の薄い場合には生長が促進することが分かる。
【００２６】
（実施例４・ペレニアルライグラス・図７、図８）
ペレニアルライグラスを用いて本発明（ＮａＨＣＯ3 ）を実証した。図７は図１と同様の各々のシャーレ内の種子の状態を示した図であり、図８は図２と同様の各々のシュ−ト（茎）の長さ及び根の長さを比較した図である。
【００２７】
茎は各々２５．３±０．９ｍｍ、０±０ｍｍ、１９．０±０．６ｍｍ、５５．７±０．７ｍｍ、４４．３±１．５ｍｍ、４２．０±０．６ｍｍ、２４．３±０．３ｍｍであり、根の長さは各々２９．７±０．３ｍｍ、０±０ｍｍ、４．７±０．３ｍｍ、２８．０±１．５ｍｍ、２８．０±０．６ｍｍ、２７．３±１．５ｍｍ、２５．３±０．９ｍｍである。尚、ラベルの長さは５ｍｍである。
【００２８】
図７及び図８、更には各々の茎や根の長さにて分かる通り、濃度の濃い場合には生長が抑制又は発芽せず、濃度の薄い場合には生長が促進することが分かる。
【００２９】
（実施例５・ダイコン・図９）
ダイコンを用いて本発明（ＮａＨＣＯ3 ）を実証した。図９は図２と同様の各々の胚軸（茎）の長さ及び根の長さを比較した図である。
【００３０】
茎は各々６０．３±１．９ｍｍ、０±０ｍｍ、１９．３±０．７ｍｍ、６６．７±３．４ｍｍ、６０．０±３．１ｍｍ、７４．０±１．５ｍｍ、６６．３±４．１ｍｍであり、根の長さは各々３３．７±４．２ｍｍ、０±０ｍｍ、７．３±１．３ｍｍ、２２．０±１．５ｍｍ、８０．７±５．９ｍｍ、７１．３±１．９ｍｍ、３７．０±１．５ｍｍである。尚、ラベルの長さは５ｍｍである。
【００３１】
図９、更には各々の茎や根の長さにて分かる通り、濃度の濃い湯合には生長が抑制又は発芽せず、濃度の薄い揚合には生長が促進することが分かる。
【００３２】
（２）ＫＨＣＯ3 及びＮａＨＣＯ3 の併用効果
（実施例６・オオイヌノフグリ・図１０）
オオイヌノフグリを用いて本発明（ＮａＨＣＯ3 ＋ＫＨＣＯ3 ）を実証した。図１０は図１と同様の各々のシャーレ内の種子の状態を示した図であり、各コントロ−ルを示す。図は左からＮａＨＣＯ3 を有効主成分としたもので、０％、１０％、３％、１％、０．３％、０．１％であり、更に夫々の胚軸（茎）の長さ及び根の長さを示すものである。
【００３３】
さて、図１０に示すＮａＨＣＯ3 の各濃度に対してＫＨＣＯ3 の濃度を変化させて実験を行った。図示はしないが、ＮａＨＣＯ3 が０％で、ＫＨＣＯ3 の濃度を変化させた場合、ＫＨＣＯ3 が１％の場合には茎及び根の長さは０ｍｍ（発芽せず）であったが、０．１％の場合には夫々７ｍｍ、１０ｍｍとなり、ＮａＨＣＯ3 の０．１％の場合の値とほぼ同じとなった。
【００３４】
次に、ＮａＨＣＯ3 の濃度が１０％、３％、１％、０．３％の場合、ＫＨＣＯ3 の濃度を変化させて（０．１〜１０％）実験を行ったが、茎及び根の長さは０ｍｍ（発芽せず）であった。更に、ＮａＨＣＯ3 が０．１％の場合につき同様の試験を行ったところ、ＫＨＣＯ3 １０〜１％では茎及び根の伸びはなかった（発芽せず）が、０．１％にあっては、茎の長さが１０ｍｍ、根の長さが１８ｍｍとなった。これはコントロ−ル（図１０）のＮａＨＣＯ3 ０．１％（茎：８ｍｍ、根：９ｍｍ）及びＫＨＣＯ3 ０．１％（茎：７ｍｍ、根：１０ｍｍ）よりも生長が著しいものであり、両者の併用効果が実証された。
【００３５】
（実施例７・トマト・図１１）
トマトを用いて本発明（ＮａＨＣＯ3 ＋ＫＨＣＯ3 ）を実証した。図１１は図１と同様の各々のシャーレ内の種子の状態を示した図であり、各コントロ−ルを示す。図は左からＮａＨＣＯ3 を有効主成分としたもので、０％、１０％、３％、１％、０．３％、０．１％であり、更に夫々の茎の長さ及び根の長さを示すものである。即ち、Ｎa ＨＣＯ3 の濃度が濃い場合には発芽しないことが分かる。
【００３６】
さて、図１１に示すＮａＨＣＯ3 の各濃度に対してＫＨＣＯ3 の濃度を変化させて実験を行った。図示はしないが、ＮａＨＣＯ3 が０％で、ＫＨＣＯ3 の濃度を変化させた場合、ＫＨＣＯ3 が１％の場合には茎及び根の長さは０ｍｍ（発芽せず）であったが、０．１％の場合には夫々４０ｍｍ、６２ｍｍとなり、ＮａＨＣＯ3 の０．１％の場合の値以上の効果があることが判明した。
【００３７】
次に、ＮａＨＣＯ3 の濃度が１０％、３％の場合、ＫＨＣＯ3 の濃度を変化させて（０．１〜１０％）実験を行ったが、茎及び根の長さは０ｍｍ（発芽せず）であった。また、ＮａＨＣＯ3 が１％の場合につき同様の試験を行ったところ、ＫＨＣＯ3 １０％、０．１％では茎及び根の伸びはなかったが、ＫＨＣＯ3 が１％にあっては、茎の長さが１１ｍｍ、根の長さが５ｍｍとなった。これはコントロ−ル（図１１）のＮａＨＣＯ3 １％（茎：５ｍｍ、根：１ｍｍ）よりも大きな効果があることが分かる。更に、ＮａＨＣＯ3 ０．１％にあって、ＫＨＣＯ3 が１０％の場合には茎及び根の伸びは０ｍｍ（発芽せず）であったが、これが１％の場合には茎の長さが２ｍｍ、０．１ｍｍの場合には茎の長さが５０ｍｍ、根の長さが４５ｍｍとなり併用の効果は著しい。
【００３８】
（３）オ−キシンの併用効果
（実施例８・トマト・図１２〜図１４）
トマトを用いて本発明（オ−キシン併用）を実証した。尚、オ−キシンとしてインドール−３−酢酸（ＩＡＡ）を用いた。ＩＡＡが１０-4〜１０-5Ｍの場合には、図示はしないが、夫々茎の長さが２０ｍｍ、２３ｍｍ、根の長さが３０ｍｍ、４１ｍｍであった。しかるに、ＮａＨＣＯ3 との併用の場合を検討するに、図１２はＮａＨＣＯ3 １０％、３％とＩＡＡが１０-3〜１０-5Ｍの場合には茎、根はいずれも０ｍｍ（発芽せず）であった。図１３はＮａＨＣＯ3 １％、０．３％とＩＡＡが１０-3〜１０-5Ｍの場合の写真である。更に、図１４はＮａＨＣＯ3 が０．１％でＩＡＡが１０-3〜１０-5Ｍの場合の写真である。この図から両者が特定の割合の場合には特に根がしっかりしたものとなることが判明した。以上、ＮａＨＣＯ3 とＩＡＡを併用した場合、植物の生長を阻害したり、生長を促進したりする併用効果が顕著であり、特に、ＮａＨＣＯ3 が０．１％の場合、ＩＡＡの濃度が１０-4〜１０-6Ｍ程度であれば、植物の生長に大きく寄与することが分かる。
【００３９】
（実施例９・オオイヌノフグリ・図１５〜図１６）
オオイヌノフグリを用いて本発明（オ−キシン併用）を実証した。尚、オ−キシンとしてインドール−３−酢酸（ＩＡＡ）を用いた。ＩＡＡが１０-4〜１０-5Ｍの場合には、図示はしないが、夫々茎の長さが８ｍｍ、１３ｍｍ、根の長さが１１ｍｍ、２２ｍｍであった。しかるに、ＮａＨＣＯ3 との併用の場合を検討するに、ＮａＨＣＯ3 １０％、３％とＩＡＡが１０-3〜１０-5Ｍの場合には茎、根はいずれも０ｍｍ（発芽せず）であった。図１５はＮａＨＣＯ3 １％、０．３％とＩＡＡが１０-3〜１０-5Ｍの場合の写真である。更に、図１６はＮａＨＣＯ3 が０．１％でＩＡＡが１０-3〜１０-5Ｍの場合の写真である。この図から、ＮａＨＣＯ3 とＩＡＡを併用した場合、植物の生長を阻害したり、生長を促進したりする併用効果が顕著であることが分かる。
【００４０】
（実施例１０・火山灰の改質）
火山灰（北海道：千歳産）にＮａＨＣＯ3 を配合し、これにレタスの芽生えを促したものである。コントロ−ル・１は、４．５ｃｍのシャーレに脱脂綿を敷き水１０ｍｌを入れ、そこに種子（１０粒）を加え、４日間暗黒下２３℃で育て、その後３日間明所（約３０００ルックス）２３℃で培養した。茎及び根の長さは図１７に示す通りである。水のみの場合をコントロ−ルとしたが、茎及び根の長さは２４．１±１ｍｍ及び２６．９±１．５ｍｍであった。また、火山灰に水を加えた土壌（火山灰１００ｇ：水２８ｇ）に対し、レタスを播種したもので、茎及び根の長さは２３．７±２．９ｍｍ及び１７．１±２．６ｍｍであった。
【００４１】
しかるに、火山灰＋ＮａＨＣＯ3 １０％（火山灰１００ｇ：重曹飽和溶液２８ｇ）の土壌にあっては茎及び根の伸びは０ｍｍであった。又、火山灰＋ＮａＨＣＯ3 １％（火山灰１００ｇ＋ＮａＨＣＯ3 １％溶液２８ｇ）の土壌にあっては茎及び根の長さは２６．０±１．５ｍｍ及び５．４±１．１ｍｍであった。更に、火山灰＋ＮａＨＣＯ3 ０．１％（火山灰１００ｇ：ＮａＨＣＯ3 ０．１％溶液２８ｇ）の土壌にあっては茎及び根の伸びは３３．４±１．１ｍｍ及び２１．１±０．８ｍｍであった。
【００４２】
この結果より、ＮａＨＣＯ3 を土壌に加えることにより植物の生長に寄与することとなり、シラス等の火山灰、赤土の改質が可能となったものである。勿論、ＮａＨＣＯ3 単独のみならずＫＨＣＯ3 との併用、更には植物ホルモンとの併用によって土壌改質ができることは言うまでもない。
【００４３】
【発明の効果】
本発明の植物調節剤は以上のような大きな効果があり、しかもその入手も簡単であり、しかも土壌に悪影響がなく環境にも優しいという特徴があり、その有用性は高い。
【図面の簡単な説明】
【図１】図１はシャーレ内のイネの芽生えの状態を示した図（写真）である。
【図２】図２は図１の芽生えの茎及び根の長さを比較した図（写真）である。
【図３】図３はシャーレ内のトマトの芽生えの状態を示した図（写真）である。
【図４】図４は図３の芽生えの茎及び根の長さを比較した図（写真）である。
【図５】図５はシャーレ内のレタスの芽生えの状態を示した図（写真）である。
【図６】図６は図５の芽生えの茎及び根の長さを比較した図（写真）である。
【図７】図７はシャーレ内のベレニアルライダラスの芽生えの状態を示した図（写真）である。
【図８】図８は図７の芽生えの茎及び根の長さを比較した図（写真）である。
【図９】図９はダイコンの芽生えの茎及び根の長さを比較した図（写真）である。
【図１０】図１０はＮａＨＣＯ3 におけるオオイヌノフグリのコントロ−ルとしての芽生えの茎及び根の長さを比較した図（写真）である。
【図１１】図１１はＮａＨＣＯ3 におけるトマトのコントロ−ルとしての芽生えの茎及び根の長さを比較した図（写真）である。
【図１２】図１２はＮａＨＣＯ3 とオ−キシンの併用の際のトマトの芽生えの茎及び根の長さを比較した図（写真）である。
【図１３】図１３はＮａＨＣＯ3 とオ−キシンの併用の際のトマトの芽生えの茎及び根の長さを比較した別例の図（写真）である。
【図１４】図１２はＮａＨＣＯ3 とオ−キシンの併用の際のトマトの芽生えの茎及び根の長さを比較した更に別例の図（写真）である。
【図１５】図１５はＮａＨＣＯ3 とオ−キシンの併用の際のオオイヌノフグリの芽生えの茎及び根の長さを比較した図（写真）である。
【図１６】図１６はＮａＨＣＯ3 とオ−キシンの併用の際のオオイヌノフグリの芽生えの茎及び根の長さを比較した別例の図（写真）である。
【図１７】図１７は火山灰を用いたＮａＨＣＯ3 のレタスの芽生えの茎及び根の長さを比較した別例の図（写真）である。